(57)【要約】  情報を表示する液晶パネル（表示部）（２）を備えた液晶表示装置（表示装置）（１）において、複数の各ソース配線（Ｓｍ〜Ｓ（ｍ＋ｍ））に対し液晶パネル（２）に表示される情報に応じたソース信号（データ信号）を出力するアンプ出力部（３３）を有するソースドライバ（データ配線駆動部）（２３）と、ソース配線（Ｓ）の予備配線として設けられた冗長配線（Ｙ）と、冗長配線（Ｙ）に対し液晶パネル（２）に表示される情報に応じたソース信号を出力可能に構成された冗長アンプ（３６）を備え、冗長アンプ（３６）は、冗長配線（Ｙ）及び当該冗長配線（Ｙ）が接続されたソース配線（Ｓｍ）に対して、アンプ出力部（３３）よりも、所定の時間早いタイミングで、対応するソース信号を出力する。
2010052971.tif 000002
【特許請求の範囲】
【請求項１】
情報を表示する表示部を備えた表示装置であって、
複数のデータ配線と、
前記複数の各データ配線の一端側に接続されるとともに、前記複数の各データ配線に対して、前記表示部に表示される情報に応じたデータ信号を出力するアンプ出力部を有するデータ配線駆動部と、
前記データ配線の予備配線として設けられた冗長配線と、
前記冗長配線の一端側に接続されるとともに、前記冗長配線に対して、前記表示部に表示される情報に応じたデータ信号を出力可能に構成された冗長アンプを備え、
前記冗長アンプは、前記冗長配線及び当該冗長配線が接続された前記データ配線に対して、前記アンプ出力部よりも、所定の時間早いタイミングで、対応するデータ信号を出力する、
ことを特徴とする表示装置。
【請求項２】
前記データ配線駆動部には、前記冗長アンプが一体的に設けられている請求項１に記載の表示装置。
【請求項３】
前記データ配線駆動部には、前記データ信号が外部から入力されて記憶する記憶部と、前記記憶部と前記冗長アンプとの間に設けられるとともに、前記冗長配線が接続された前記データ配線への対応するデータ信号だけを、前記冗長アンプ側に選択的に出力する選択部とを備えている請求項２に記載の表示装置。
【請求項４】
前記データ配線に断線が発生して当該データ配線に前記冗長配線が接続された場合において、前記アンプ出力部から前記データ配線での断線箇所までの配線抵抗の値と、前記冗長アンプから前記冗長配線を経て前記データ配線での断線箇所までの配線抵抗の値とを用いて、前記所定の時間の値が定められている請求項１〜３のいずれか１項に記載の表示装置。
【請求項５】
前記表示部には、有効表示領域が設定され、
前記複数のデータ配線は、少なくとも前記有効表示領域の内側に設けられ、
前記冗長配線は、前記有効表示領域の外側に設けられている請求項１〜４のいずれか１項に記載の表示装置。
【請求項６】
前記表示部には、一対の透明基板と、前記一対の透明基板によって狭持される液晶層を備えた液晶パネルが用いられている請求項１〜５のいずれか１項に記載の表示装置。
【発明の詳細な説明】
【技術分野】
【０００１】
本発明は、文字や画像などの情報を表示する表示部を備えた表示装置、特に情報に応じたデータ信号が入力される複数のデータ配線及びその冗長配線を有する表示装置に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置は、文字や画像などの情報を表示する表示部としての液晶パネルを備えており、この液晶パネルには、マトリクス状に配列された複数のデータ配線（ソース配線）及び複数の走査配線（ゲート配線）と、データ配線と走査配線との交差部の近傍に薄膜トランジスタ（ＴＦＴ：Thin Film Transistor）などのスイッチング素子を有する複数の画素が設けられている。【０００３】
また、従来の液晶表示装置には、例えば下記特許文献１に記載されているように、ソースドライバ内に、複数の各ソース配線の一端側に接続されて、各ソース配線に表示する情報に応じたソース信号（データ信号）を出力する出力アンプと、出力アンプに対して予備的に設けられた冗長アンプである、予備出力アンプとを設ける。この予備出力アンプは、オペアンプを使用して構成されており、その正相入力端子及び出力端子は、第１予備配線及び第２予備配線にそれぞれ接続されている。また、この従来の液晶表示装置では、予備出力アンプの逆相入力端子と出力端子との間には、ソースドライバの外側に設けられた外付け回路が接続されている。【０００４】
具体的にいえば、外付け回路は、予備出力アンプの逆相の入力回路として、予備出力アンプの逆相入力端子とＧＮＤとの間に接続された抵抗と容量との並列回路と、予備出力アンプの出力から逆相入力への帰還回路として、予備出力アンプの出力端子と逆相入力端子との間に接続された抵抗とを備えている。【０００５】
また、この従来の液晶表示装置では、いずれかのソース配線に断線が発生したときに、当該ソース配線に接続されている出力アンプの出力を第１予備配線に接続し、かつ、当該ソース配線のソースドライバ側とは反対側の端部を第２予備配線に接続していた。これにより、この従来の液晶表示装置では、断線したソース配線において、出力アンプから断線箇所までの部分とそれに接続されている画素には、出力アンプからの出力により充電が行われるようになっていた。一方、第２予備配線に接続されたソースドライバ側とは反対側の端部から断線箇所までの部分とそれに接続されている画素には、予備出力アンプからの出力により充電が行われるようになっていた。【０００６】
さらに、この従来の液晶表示装置では、上記外付け回路に含まれた２つの抵抗の各抵抗値（素子定数）を適切に選択することにより、断線したソース配線への信号供給期間の終了時点において、断線箇所から当該ソース配線と第１予備配線との接続箇所までの部分と、断線箇所から当該ソース配線と第２予備配線との接続箇所までの部分とをほぼ同じ電圧に充電可能とされていた。そして、この従来の液晶表示装置では、ソース配線に断線が発生したときでも、当該ソース配線に充電不足が生じるのを回避して、表示品位が低下するのを防止することができるとされていた。
【先行技術文献】
【特許文献】
【０００７】
【特許文献１】国際公開第０８／０７５４８０号パンフレット（２００８）
【発明の概要】
【発明が解決しようとする課題】
【０００８】
しかしながら、上記のような従来の液晶表示装置では、ソースドライバ（データ配線駆動部）の外側に、上記外付け回路を設けていたので、回路構成が複雑で、大型化するという問題点を生じることがあった。また、この従来の液晶表示装置では、ソース配線（データ配線）に断線が生じたときに、その断線箇所の位置やソース信号（データ信号）の信号供給期間の長さなどに応じて、外付け回路内の２つの抵抗の抵抗値を変更する必要があり、表示品位の低下を防止するのに時間及び手間を要することがあった。【０００９】
さらに、上記従来の液晶表示装置では、第１及び第２予備配線（冗長配線）を設けていたので、装置構成が複雑で、大型化するのを防げないおそれがあった。また、ソース配線に断線が生じたときに、当該ソース配線を第１及び第２予備配線の２箇所で接続する必要があり、この接続作業に時間及び手間を要することがあった。【００１０】
上記の課題を鑑み、本発明は、データ配線に断線が生じたときでも、表示品位が低下するのを容易に防ぐことができる構造簡単な表示装置を提供することを目的とする。
【課題を解決するための手段】
【００１１】
上記の目的を達成するために、本発明にかかる表示装置は、情報を表示する表示部を備えた表示装置であって、
複数のデータ配線と、
前記複数の各データ配線の一端側に接続されるとともに、前記複数の各データ配線に対して、前記表示部に表示される情報に応じたデータ信号を出力するアンプ出力部を有するデータ配線駆動部と、
前記データ配線の予備配線として設けられた冗長配線と、
前記冗長配線の一端側に接続されるとともに、前記冗長配線に対して、前記表示部に表示される情報に応じたデータ信号を出力可能に構成された冗長アンプを備え、
前記冗長アンプは、前記冗長配線及び当該冗長配線が接続された前記データ配線に対して、前記アンプ出力部よりも、所定の時間早いタイミングで、対応するデータ信号を出力することを特徴とするものである。【００１２】
上記のように構成された表示装置では、冗長配線の一端側に接続されて、上記データ信号を出力可能な冗長アンプが設けられているので、２つの冗長配線を設けることなく、データ配線に断線が生じたときでも、当該データ配線に充電不足が生じるのを防ぐことができる。また、断線を生じたデータ配線に対して、冗長配線を１箇所接続するだけによって、当該データ配線での充電不足の発生を防止することができる。さらに、冗長アンプは、冗長配線及び当該冗長配線が接続されたデータ配線に対して、アンプ出力部よりも、所定の時間早いタイミングで、対応するデータ信号を出力するので、このデータ信号の信号供給期間の終了時点において、アンプ出力部からデータ配線の断線箇所までの部分と、冗長アンプから冗長配線を経てデータ配線での断線箇所までの部分とをほぼ同じ電圧に充電することができる。従って、上記従来例と異なり、データ配線に断線が生じたときでも、表示品位が低下するのを容易に防ぐことができる構造簡単な表示装置を構成することができる。【００１３】
また、上記表示装置において、前記データ配線駆動部には、前記冗長アンプが一体的に設けられていることが好ましい。【００１４】
この場合、データ配線駆動部と冗長アンプとを別個に設ける場合に比べて、表示装置での回路構成の小型化を容易に図ることができる。【００１５】
また、上記表示装置において、前記データ配線駆動部には、前記データ信号が外部から入力されて記憶する記憶部と、前記記憶部と前記冗長アンプとの間に設けられるとともに、前記冗長配線が接続された前記データ配線への対応するデータ信号だけを、前記冗長アンプ側に選択的に出力する選択部とを備えていることが好ましい。【００１６】
この場合、データ配線駆動部の回路規模を簡略化することができる。【００１７】
また、上記表示装置において、前記データ配線に断線が発生して当該データ配線に前記冗長配線が接続された場合において、前記アンプ出力部から前記データ配線での断線箇所までの配線抵抗の値と、前記冗長アンプから前記冗長配線を経て前記データ配線での断線箇所までの配線抵抗の値とを用いて、前記所定の時間の値が定められていることが好ましい。【００１８】
この場合、冗長配線が接続されたデータ配線において、データ信号の信号供給期間の終了時点で、アンプ出力部から断線箇所までの部分と、冗長アンプから冗長配線を経てデータ配線での断線箇所までの部分とをほぼ同じ電圧に確実に充電することができる。この結果、データ配線に断線が発生したときでも、当該データ配線に充電不足が生じるのを回避して、表示品位が低下するのを確実に防止することができる。【００１９】
また、上記表示装置において、前記表示部には、有効表示領域が設定され、
前記複数のデータ配線は、少なくとも前記有効表示領域の内側に設けられ、
前記冗長配線は、前記有効表示領域の外側に設けられてもよい。【００２０】
この場合、冗長配線が有効表示領域の外側に設けられているので、有効表示領域での表示品位を容易に向上することができる。【００２１】
また、上記表示装置において、前記表示部には、一対の透明基板と、前記一対の透明基板によって狭持される液晶層を備えた液晶パネルが用いられてもよい。【００２２】
この場合、データ配線に断線が生じたときでも、液晶層を適切に動作させることができ、表示品位の低下が防がれた液晶表示装置を容易に構成することができる。
【発明の効果】
【００２３】
本発明によれば、データ配線に断線が生じたときでも、表示品位が低下するのを容易に防ぐことができる構造簡単な表示装置を提供することが可能となる。
【図面の簡単な説明】
【００２４】
【図１】図１は、本発明の第１の実施形態にかかる液晶表示装置を説明する概略断面図である。
【図２】図２は、図１に示した液晶パネルの要部構成を説明する図である。
【図３】図３は、図１に示したプリント回路基板及びフレキシブルプリント回路基板を示す平面図である。
【図４】図４は、上記ソースドライバの要部構成を説明する図である。
【図５】図５は、上記ソースドライバでの動作例を説明する図である。
【図６】図６は、本発明の第２の実施形態にかかる液晶表示装置でのソースドライバの要部構成を説明する図である。
【発明を実施するための形態】
【００２５】
以下、本発明の表示装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００２６】
［第１の実施形態］
図１は、本発明の第１の実施形態にかかる液晶表示装置を説明する概略断面図である。図１において、本実施形態の液晶表示装置１には、図の上側が視認側（表示面側）として設置される表示部としての液晶パネル２と、液晶パネル２の非表示面側（図の下側）に配置されて、当該液晶パネル２を照明する照明光を発生する照明装置３とが設けられている。
【００２７】
液晶パネル２は、液晶層４と、液晶層４を狭持する一対の透明基板としてのアクティブマトリクス基板５及びカラーフィルタ基板６と、アクティブマトリクス基板５及びカラーフィルタ基板６の各外側表面上にそれぞれ設けられた偏光板７、８とを備えている。また、液晶パネル２には、フレキシブルプリント回路基板９と、このフレキシブルプリント回路基板９に接続されたプリント回路基板１０とが設けられている。また、これらフレキシブルプリント回路基板９及びプリント回路基板１０は、後に詳述するように、複数設けられたソースドライバ２３の設置数に応じて、各々複数設けられている。
【００２８】
また、フレキシブルプリント回路基板９は、ＳＯＦ（System On Film）と呼ばれるものであり、このフレキシブルプリント回路基板９には、液晶層４を画素単位に駆動するドライバとしてのソースドライバ２３が実装されている。尚、フレキシブルプリント回路基板９では、ソースドライバ２３が実装された表面とは反対側の表面（図１の上側の表面）は例えば合成樹脂により構成された放熱シートＨに当接しており、放熱シートＨを介してソースドライバ２３で生じた熱を後述のベゼルに伝えて外部に放熱するよう構成されている。
【００２９】
また、複数のプリント回路基板１０では、隣接する２つのプリント回路基板１０どうしがフレキシブルプリント回路基板２８によって互いに接続されている（詳細は後述。）。さらに、プリント回路基板１０には、後述のパネル制御部が電気的に接続されており、当該パネル制御部によってソースドライバ２３の駆動制御が行われるようになっている。そして、液晶パネル２では、液晶層４によって偏光板７を介して入射された上記照明光の偏光状態が変調され、かつ、偏光板８を通過する光量が制御されることにより、所望画像が表示される。
【００３０】
尚、液晶パネル２の液晶モードや画素構造は任意である。また、液晶パネル２の駆動モードも任意である。すなわち、液晶パネル２としては、情報を表示できる任意の液晶パネルを用いることができる。それ故、図１においては液晶パネル２の詳細な構造を図示せず、その説明も省略する。
【００３１】
照明装置３には、図の上側（液晶パネル２側）が開口した有底状のシャーシ１２と、シャーシ１２の液晶パネル２側に設置された枠状のフレーム１３とが設けられている。また、シャーシ１２及びフレーム１３は、金属または合成樹脂によって構成されており、フレーム１３の上方に液晶パネル２が設置された状態で、断面Ｌ字状のベゼル１４にて狭持されている。具体的にいえば、シャーシ１２は、光源としての後述の冷陰極蛍光管を収容する照明装置３の筐体である。また、ベゼル１４は、液晶パネル２を収納するためのものであり、プラスチックシャーシとも呼ばれる、上記フレーム１３との間で液晶パネル２を狭持した状態で、当該ベゼル１４はフレーム１３及びシャーシ１２と互いに組み付けられている。そして、照明装置３は、液晶パネル２に組み付けられ、当該照明装置３からの照明光が液晶パネル２に入射される透過型の液晶表示装置１として一体化されている。
【００３２】
また、照明装置３は、シャーシ１２の開口部を覆うように設置された拡散板１５と、拡散板１５の上方で液晶パネル２側に設置された光学シート１７と、シャーシ１２の内面に設けられた反射シート２１とを備えている。また、照明装置３では、複数、例えば６本の冷陰極蛍光管２０がシャーシ１２の内部で液晶パネル２の下方側に設けられており、直下型の照明装置３を構成している。そして、照明装置３では、各冷陰極蛍光管２０からの光が液晶パネル２に対向配置される照明装置３の発光面から上記照明光として出射されるようになっている。
【００３３】
尚、上記の説明では、直下型の照明装置３を用いた構成について説明したが、本実施形態はこれに限定されるものではなく、導光板を有するエッジライト型の照明装置を用いてもよい。また、冷陰極蛍光管以外の熱陰極蛍光管やＬＥＤなどの他の光源を有する照明装置も用いることができる。
【００３４】
拡散板１５は、例えば厚さ２ｍｍ程度の長方形状の合成樹脂またはガラス材を用いて構成されており、冷陰極蛍光管２０からの光を拡散して、光学シート１７側に出射する。また、拡散板１５は、その四辺側がシャーシ１２の上側に設けられた枠状の表面上に載置されており、弾性変形可能な押圧部材１６を介在させてシャーシ１２の当該表面とフレーム１３の内面とで狭持された状態で照明装置３の内部に組み込まれている。さらに、拡散板１５では、その略中央部がシャーシ１２内部に設置された透明な支持部材（図示せず）にて支えられており、シャーシ１２の内側に撓むのが防がれている。
【００３５】
また、拡散板１５は、シャーシ１２と押圧部材１６との間で移動可能に保持されており、冷陰極蛍光管２０の発熱やシャーシ１２の内部の温度上昇などの熱の影響により、当該拡散板１５に伸縮（塑性）変形が生じたときでも、押圧部材１６が弾性変形することにて当該塑性変形が吸収されて、冷陰極蛍光管２０からの光の拡散性を極力低下しないようになっている。また、合成樹脂に比べて熱に強いガラス材の拡散板１５を用いる場合の方が、上記熱の影響による反り、黄変、熱変形等が生じ難い点で好ましい。
【００３６】
光学シート１７には、例えば厚さ０．５ｍｍ程度の合成樹脂フィルムにより構成された集光シートが含まれており、液晶パネル２への上記照明光の輝度を上昇させるように構成されている。また、光学シート１７には、液晶パネル２の表示面での表示品位の向上を行うためなどのプリズムシート、拡散シート、偏光シートなどの公知の光学シート材が必要に応じて適宜積層されるようになっている。そして、光学シート１７は、拡散板１５から出射された光を、所定の輝度（例えば、１００００ｃｄ／ｍ2）以上で、かつ、均一な輝度を有する面状光に変換し照明光として液晶パネル２側に入射させるように構成されている。なお、上記の説明以外に、例えば液晶パネル２の上方（表示面側）に当該液晶パネル２の視野角を調整するための拡散シート等の光学部材を適宜積層してもよい。
【００３７】
また、光学シート１７では、例えば液晶表示装置１の実使用時に上側となる、図１の左端辺側の中央部に、同図の左側に突出した突出部が形成されている。そして、光学シート１７では、上記突出部だけが弾性材１８を介在させてフレーム１３の内面と押圧部材１６とで狭持されており、当該光学シート１７は、照明装置３の内部に伸縮可能な状態で組み込まれている。これにより、光学シート１７では、冷陰極蛍光管２０の発熱などの上記の熱の影響により、伸縮（塑性）変形が生じたときでも、上記突出部を基準とした自由な伸縮変形が可能となり、シワや撓みなどが当該光学シート１７に発生するのが極力防がれるように構成されている。この結果、液晶表示装置１では、光学シート１７の撓み等に起因して、輝度ムラなどの表示品位の低下が液晶パネル２の表示面に発生するのを極力防止できるようになっている。
【００３８】
各冷陰極蛍光管２０には、直管状のものが用いられており、その両端部に設けられた電極部（図示せず）がシャーシ１２の外側にて支持されている。また、各冷陰極蛍光管２０には、直径３．０〜４．０ｍｍ程度の発光効率に優れた細管化されたものが使用されており、各冷陰極蛍光管２０は、図示しない光源保持具によって拡散板１５及び反射シート２１との各間の距離を所定距離に保たれた状態で、シャーシ１２の内部に保持されている。さらに、冷陰極蛍光管２０は、その長手方向が重力の作用方向と直交する方向に平行となるように、配置されている。これにより、冷陰極蛍光管２０では、その内部に封入された水銀（蒸気）が重力の作用により長手方向の一方の端部側に集まるのが防がれて、ランプ寿命が大幅に向上されている。
【００３９】
反射シート２１は、例えば厚さ０．２〜０．５ｍｍ程度のアルミニウムや銀などの光反射率の高い金属薄膜により構成されており、冷陰極蛍光管２０の光を拡散板１５に向かって反射する反射板として機能するようになっている。これにより、照明装置３では、冷陰極蛍光管２０から発光された光を拡散板１５側に効率よく反射して当該光の利用効率及び拡散板１５での輝度を高めることができる。なお、この説明以外に、上記金属薄膜に代えて、合成樹脂製の反射シート材を使用したり、例えばシャーシ１２の内面に光反射率の高い白色等の塗料を塗布することによって当該内面を反射板として機能させたりすることもできる。
【００４０】
次に、図２も参照して、液晶パネル２について具体的に説明する。
【００４１】
図２は、図１に示した液晶パネルの要部構成を説明する図である。
【００４２】
図２において、液晶表示装置１（図１）には、文字や画像等の情報を表示する上記表示部としての液晶パネル２（図１）の駆動制御を行うパネル制御部２２と、このパネル制御部２２からの指示信号を基に動作する複数、例えば９つのソースドライバ２３−１、２３−２、…、２３−８、２３−９（以下、“２３”にて総称する。）及び複数、例えば６つのゲートドライバ２４−１、２４−２、…、２４−５、２４−６（以下、“２４”にて総称する。）が設けられている。
【００４３】
パネル制御部２２には、液晶表示装置１の外部からの映像信号が入力されるようになっている。また、パネル制御部２２は、入力された映像信号に対して所定の画像処理を行ってソースドライバ２３及びゲートドライバ２４への各指示信号を生成する画像処理部２２ａと、入力された映像信号に含まれた１フレーム分の表示データを記憶可能なフレームバッファ２２ｂとを備えている。そして、パネル制御部２２が、入力された映像信号に応じて、ソースドライバ２３及びゲートドライバ２４の駆動制御を行うことにより、その映像信号に応じた情報が液晶パネル２に表示される。
【００４４】
ソースドライバ２３は、上述したように、フレキシブルプリント回路基板９に実装されている。同様に、ゲートドライバ２４は、後述のフレキシブルプリント回路基板に実装されている。また、これらのソースドライバ２３及びゲートドライバ２４は、液晶パネル２の有効表示領域Ａ内に設けられた複数の画素Ｐを画素単位に駆動する駆動回路であり、ソースドライバ２３及びゲートドライバ２４には、複数のソース配線Ｓ１〜ＳＭ（Ｍは、９以上の整数、以下、“Ｓ”にて総称する。）及び複数のゲート配線Ｇ１〜ＧＮ（Ｎは、６以上の整数、以下、“Ｎ”にて総称する。）がそれぞれ接続されている。
【００４５】
言い換えれば、ソースドライバ２３には、ソース配線（データ配線）Ｓが接続されており、ソースドライバ２３は、液晶パネル２に表示される情報に応じたソース信号（データ信号）を出力するデータ配線駆動部を構成している。一方、ゲートドライバ２４には、ゲート配線（走査配線）Ｇが接続されており、ゲートドライバ２４は、後述の走査信号を出力する走査配線駆動部を構成している。
【００４６】
また、ソース配線Ｓ及びゲート配線Ｇは、少なくとも有効表示領域Ａ内において、マトリクス状に配列されており、当該マトリクス状に区画された各領域には、上記複数の各画素Ｐの領域が形成されている。具体的にいえば、図２に例示するように、ソース配線Ｓには、液晶パネル２の縦方向に平行に配列されたソース配線本体部Ｓ１ｂ、Ｓ２ｂ、Ｓ３ｂ、…と、これらソース配線本体部Ｓ１ｂ、Ｓ２ｂ、Ｓ３ｂ、…とソースドライバ２３を距離が可能な限り長くならないように繋ぐ接続配線部Ｓ１ａ、Ｓ２ａ、Ｓ３ａ、…とが含まれている。同様に、ゲート配線Ｇには、液晶パネル２の横方向に平行に配列されたゲート配線本体部Ｇ１ｂ、Ｇ２ｂ、…と、これらゲート配線本体部Ｇ１ｂ、Ｇ２ｂ、…とゲートドライバ２４を距離が可能な限り長くならないように繋ぐ接続配線部Ｇ１ａ、Ｇ２ａ、…とが含まれている。
【００４７】
また、複数の画素Ｐには、赤色、緑色、及び青色の画素が含まれている。また、これらの赤色、緑色、及び青色の画素は、例えばこの順番で、各ゲート配線Ｇのゲート配線本体部Ｇ１ｂ、Ｇ２ｂ、…に平行に順次配設されている。
【００４８】
また、ゲート配線本体部Ｇ１ｂ、Ｇ２ｂ、…には、画素Ｐ毎に設けられたスイッチング素子２５のゲートが接続されている。一方、ソース配線本体部Ｓ１ｂ、Ｓ２ｂ、Ｓ３ｂ、…には、スイッチング素子２５のソースが接続されている。また、各スイッチング素子２５のドレインには、画素Ｐ毎に設けられた画素電極２６が接続されている。また、各画素Ｐでは、共通電極２７が液晶パネル２に設けられた液晶層４（図１）を間に挟んだ状態で画素電極２６に対向するように構成されている。そして、ゲートドライバ２４は、画像処理部２２ａからの指示信号に基づいて、ゲート配線Ｇ１〜ＧＮに対して、対応するスイッチング素子２５のゲートをオン状態にする走査信号を順次出力する。一方、ソースドライバ２３は、画像処理部２２ａからの指示信号に基づいて、表示画像の輝度（階調）に応じた電圧信号（階調電圧）を対応するソース配線Ｓ１〜ＳＭに出力する。
【００４９】
また、複数の各ソースドライバ２３−１〜２３−９には、ソース配線Ｓの予備配線としての冗長配線Ｙが接続されている。この冗長配線Ｙは、アクティブマトリクス基板５（図１）上で、有効表示領域Ａの外側に設けられている。また、冗長配線Ｙは、いずれか１本のソース配線Ｓに例えば断線が生じたときに、当該ソース配線Ｓのソースドライバ２３とは反対側の端部に接続されて、ソースドライバ２３からのソース信号をソース配線Ｓの上記反対側の端部から断線箇所まで出力して、ソース信号による電圧を充電するようになっている（詳細は後述。）。
【００５０】
ここで、図３及び図４も参照して、本実施形態のソースドライバ２３について具体的に説明する。
【００５１】
図３は図１に示したプリント回路基板及びフレキシブルプリント回路基板を示す平面図であり、図４は上記ソースドライバの要部構成を説明する図である。
【００５２】
まず図３を参照して、アクティブマトリクス基板５とソースドライバ２３及びゲートドライバ２４との接続状態について具体的に説明する。
【００５３】
図３に示すように、液晶パネル２では、９つのソースドライバ２３−１〜２３−９が、９つのフレキシブルプリント回路基板（ＳＯＦ）９にそれぞれ実装されている。各フレキシブルプリント回路基板９の一端部側は、有効表示領域Ａの外側で、アクティブマトリクス基板５上のソース配線Ｓに接続されている。また、各ソースドライバ２３−１〜２３−９には、同じ数のソース配線Ｓ、つまり（Ｍ／９）本のソース配線Ｓが接続されている。
【００５４】
また、各フレキシブルプリント回路基板９の他端部側は、プリント回路基板１０に接続されている。具体的には、図３に例示するように、液晶パネル２では、３つのプリント回路基板１０が設けられるとともに、各プリント回路基板１０には、３つのフレキシブルプリント回路基板９が接続されている。また、隣接する２つのプリント回路基板１０の間には、フレキシブルプリント回路基板２８が設けられており、これら２つのプリント回路基板１０どうしを接続するようになっている。すなわち、２つのフレキシブルプリント回路基板２８が、３つのプリント回路基板１０に対して設けられており、これらのプリント回路基板１０及びフレキシブルプリント回路基板２８を介在させて、９つのソースドライバ２３−１〜２３−９は１つのソースドライバとして機能するように順次接続されている。また、中央部のプリント回路基板１０には、パネル制御部２２が接続されており、各ソースドライバ２３−１〜２３−９に対して、液晶パネル２の表示部に表示される情報に応じた指示信号がパネル制御部２２内の画像処理部２２ａから入力される。そして、各ソースドライバ２３−１〜２３−９は、対応するソース配線Ｓに対し、上記電圧信号を出力する。
【００５５】
また、液晶パネル２では、６つのソースドライバ２４−１〜２４−６が、６つのフレキシブルプリント回路基板（ＳＯＦ）１１にそれぞれ実装されている。各フレキシブルプリント回路基板１１の一端部側は、有効表示領域Ａの外側で、アクティブマトリクス基板５上のゲート配線Ｇに接続されている。また、各ゲートドライバ２４−１〜２４−６には、同じ数のゲート配線Ｇ、つまり（Ｎ／６）本のゲート配線Ｇが接続されている。さらに、各ゲートドライバ２４−１〜２４−６は、対応するフレキシブルプリント回路基板１１とアクティブマトリクス基板５上に設けられた配線（図示せず）を介して、パネル制御部２２に接続されている。そして、各ゲートドライバ２４−１〜２４−６は、画像処理部２２ａからの指示信号を入力して、対応するゲート配線Ｇに対し、上記走査信号を出力する。
【００５６】
また、液晶パネル２では、フレキシブルプリント回路基板９、１１がアクティブマトリクス基板５に対して折り曲げられることにより、これらのフレキシブルプリント回路基板９、１１及びプリント回路基板１０は、図１に示したように、ベゼル１４の内側に配置される。
【００５７】
次に、図４を参照して、本実施形態のソースドライバ２３の具体的な構成について説明する。
【００５８】
図４に例示するように、本実施形態のソースドライバ２３には、記憶部としてのサンプリングメモリ３１と、このサンプリングメモリ３１に順次接続されたラッチ３２、アンプ出力部３３、及びセレクタ３４が設けられており、セレクタ３４に接続されたソース配線Ｓｍ、Ｓ（ｍ＋１）、…、Ｓ（ｍ＋ｍ）に対して、ソース信号を出力するようになっている。
【００５９】
サンプリングメモリ３１には、ソース信号（データ信号）が外部から入力されるようになっており、パネル制御部２２からの指示信号に基づき、入力されたソース信号（データ）を適宜記憶するようになっている。ラッチ３２は、パネル制御部２２からの指示信号に基づいて、サンプリングメモリ３１に記憶されているソース信号を一括してラッチし記憶する。
【００６０】
アンプ出力部３３には、セレクタ３４を介して複数の各ソース配線Ｓｍ〜Ｓ（ｍ＋ｍ）の一端側が接続されており、液晶パネル（表示部）２に表示される情報に応じたソース信号を出力するように構成されている。すなわち、アンプ出力部３３は、パネル制御部２２からの指示信号を基にラッチ３２からソース信号を入力して、対応するソース配線Ｓにセレクタ３４を経て出力するようになっている。
【００６１】
また、本実施形態のソースドライバ２３には、アンプ出力部３３とセレクタ３４との間に接続されたセレクタ３５と、このセレクタ３５に接続された冗長アンプ３６とが設けられている。この冗長アンプ３６には、冗長配線Ｙの一端側が接続されており、冗長アンプ３６は、パネル制御部２２からの指示信号に基づき、冗長配線Ｙに対して、液晶パネル２に表示される情報に応じたソース信号を出力可能に構成されている。また、セレクタ３５は、アンプ出力部３３からセレクタ３４に出力される、複数のソース配線Ｓｍ〜Ｓ（ｍ＋ｍ）にそれぞれ対応する（出力される）複数のソース信号のうち、冗長配線Ｙが接続されたソース配線Ｓへのソース信号のみ選択して、アンプ出力部３３から冗長アンプ３６に出力するようになっている。
【００６２】
また、冗長配線Ｙは、上述したように、有効表示領域Ａの外側に配線されており、断線を生じたソース配線Ｓの予備配線として用いられるようになっている。すなわち、本実施形態の液晶表示装置１では、例えば液晶パネル２の製造工程において、断線箇所Ｘで断線がソース配線Ｓｍに生じていることが判別されると、当該ソース配線Ｓｍは、冗長配線Ｙに対し、例えばレーザによって有効表示領域Ａの外側の接続箇所Ｍで溶着されて互いに接続される。これにより、本実施形態のソースドライバ２３では、後に詳述するように、ソース配線Ｓに断線が生じたときでも、冗長配線Ｙを介在させて当該ソース配線Ｓ及びこれに接続された画素Ｐに対してソース信号を出力して、当該画素Ｐにソース信号による電圧を充電できるようになっている。
【００６３】
また、冗長アンプ３６は、冗長配線Ｙ及び当該冗長配線Ｙが接続されたソース配線Ｓｍに対して、アンプ出力部３３よりも、所定の時間早いタイミングで、対応するソース信号を出力するよう構成されている。この所定の時間の値は、例えばソース配線Ｓｍに断線箇所Ｘで断線が発生して当該ソース配線Ｓｍに冗長配線Ｙが接続された場合において、アンプ出力部３３からソース配線Ｓｍでの断線箇所Ｘまでの配線抵抗の値と、冗長アンプ３６から冗長配線Ｙを経てソース配線Ｓｍでの断線箇所Ｘまでの配線抵抗の値とを用いて、定められている。そして、本実施形態のソースドライバ２３では、冗長アンプ３６は、セレクタ３５からソース配線Ｓｍに出力されるソース信号を入力するとともに、アンプ出力部３３がソース配線Ｓｍに対しソース信号を出力するタイミングよりも、所定の時間早いタイミングでセレクタ３５からのソース信号を冗長配線Ｙに対し出力するようになっている。
【００６４】
尚、断線を生じて冗長配線Ｙが接続されたソース配線Ｓｍの情報（当該ソース配線Ｓｍを特定するための位置情報を含む。）や上記のように定められた所定の時間の値のデータは、パネル制御部２２内に設けられたメモリ（図示せず）に適宜記憶され保持されるようになっている。
【００６５】
ここで、図５も参照して、上記のように構成された本実施形態の液晶表示装置１の動作について具体的に説明する。尚、以下の説明では、図４に示したソース配線Ｓｍに断線が生じて当該ソース配線Ｓｍが冗長配線Ｙに接続された場合でのソースドライバ２３の動作について主に説明する。
【００６６】
図５は上記ソースドライバでの動作例を説明する図である。
【００６７】
図５（ｄ）に示すように、時点Ｔ１において、冗長アンプ３６（図４）がオン状態に変化されて、冗長配線Ｙ及びソース配線Ｓｍに対するソース信号の出力が開始される。これにより、図５（ｂ）の点線６０ｂに示すように、ソース配線Ｓｍとゲート配線Ｇ２との交差部Ｃ（図４）に設けられた画素Ｐでは、ソース信号による充電が開始される。また、この画素Ｐでは、冗長配線Ｙを経てソース信号が供給されるため、その立ち上がりは点線６０ｂに示すように、鈍いものとなる。
【００６８】
その後、図５（ａ）の実線５０ａ及び図５（ｂ）の実線５０ｂにそれぞれ示すように、時点Ｔ２において、ゲート配線Ｇ２に対して、スイッチング素子２５（図２）のゲートをオン状態とする走査信号が入力される。そして、上記時点Ｔ１から所定の時間経過した時点Ｔ３において、図５（ｃ）に示すように、アンプ出力部３３（図４）がオン状態に変化されて、ソース配線Ｓ（ｍ＋１）（図４）に対するソース信号の出力が開始される。これにより、図５（ａ）の点線６０ａに示すように、ソース配線Ｓ（ｍ＋１）とゲート配線Ｇ２との交差部Ｂ（図４）に設けられた画素Ｐでは、ソース信号による充電が開始される。
【００６９】
続いて、図５（ａ）の実線５０ａ及び図５（ｂ）の実線５０ｂにそれぞれ示すように、時点Ｔ４において、ゲート配線Ｇ２に対して、スイッチング素子２５のゲートをオフ状態とする走査信号が入力された後、図５（ｃ）及び図５（ｄ）にそれぞれ示すように、アンプ出力部３３及び冗長アンプ３６はオフ状態に変化され、ソース信号の出力が停止される。
【００７０】
また、以上の動作により、上記交差部Ｂに設けられた画素Ｐ及び上記交差部Ｃに設けられた画素Ｐでは、図５（ｅ）及び図５（ｆ）に示すように、時点Ｔ３から時点Ｔ４の間において、ソース信号によって同じ電圧が充電される。
【００７１】
以上のように構成された本実施形態の液晶表示装置１では、冗長配線Ｙの一端側に接続されて、上記ソース信号（データ信号）を出力可能な冗長アンプ３６が設けられているので、２つの冗長配線を設けることなく、ソース配線（データ配線）Ｓに断線が生じたときでも、当該ソース配線Ｓに充電不足が生じるのを防ぐことができる。また、本実施形態の液晶表示装置１では、断線を生じたソース配線Ｓに対して、冗長配線Ｙを１箇所接続するだけによって、当該ソース配線Ｓでの充電不足の発生を防止することができる。
【００７２】
さらに、本実施形態の液晶表示装置１では、冗長アンプ３６は冗長配線Ｙ及び当該冗長配線Ｙが接続されたソース配線Ｓに対して、アンプ出力部３３よりも、所定の時間早いタイミングで、対応するソース信号を出力するので、このソース信号の信号供給期間の終了時点において、アンプ出力部３３からソース配線Ｓの断線箇所までの部分と、冗長アンプ３６から冗長配線Ｙを経てソース配線Ｓでの断線箇所までの部分とをほぼ同じ電圧に充電することができる。従って、本実施形態では、上記従来例と異なり、ソース配線Ｓに断線が生じたときでも、表示品位が低下するのを容易に防ぐことができる構造簡単な液晶表示装置１を構成することができる。
【００７３】
また、本実施形態の液晶表示装置１では、上記所定の時間の値がアンプ出力部３３からソース配線Ｓでの断線箇所までの配線抵抗の値と、冗長アンプ３６から冗長配線Ｙを経てソース配線Ｓでの断線箇所までの配線抵抗の値とを用いて、定められている。これにより、本実施形態の液晶表示装置１では、冗長配線Ｙが接続されたソース配線Ｓにおいて、ソース信号の信号供給期間の終了時点で、アンプ出力部３３から断線箇所までの部分と、冗長アンプ３６から冗長配線Ｙを経てソース配線Ｓでの断線箇所までの部分とをほぼ同じ電圧に確実に充電することができる。この結果、本実施形態の液晶表示装置１では、ソース配線Ｓに断線が発生したときでも、当該ソース配線Ｓに充電不足が生じるのを回避して、表示品位が低下するのを確実に防止することができる。
【００７４】
また、本実施形態の液晶表示装置１では、図５（ｅ）及び図５（ｆ）に示したように、断線が生じていないソース配線Ｓ（ｍ＋１）に接続された画素Ｐと、断線が生じたソース配線Ｓｍに接続された画素Ｐとに対し、同じ電圧を充電することができる。従って、本実施形態では、ソース配線Ｓに断線が生じたときでも、液晶層４を適切に動作させることができ、表示品位の低下が防がれた液晶表示装置１を容易に構成することができる。
【００７５】
［第２の実施形態］
図６は、本発明の第２の実施形態にかかる液晶表示装置でのソースドライバの要部構成を説明する図である。図において、本実施形態と上記第１の実施形態との主な相違点は、サンプリングメモリと冗長アンプとの間に、冗長配線が接続されたソース配線への対応するデータ信号だけを、冗長アンプ側に選択的に出力するセレクタを設けた点である。なお、上記第１の実施形態と共通する要素については、同じ符号を付して、その重複した説明を省略する。
【００７６】
すなわち、図６に示すように、本実施形態では、ソースドライバ（データ配線駆動部）２３は記憶部としてのサンプリングメモリ４１と、このサンプリングメモリ４１に順次接続された第１のラッチ４２及びアンプ出力部４３が設けられており、アンプ出力部４３に接続されたソース配線Ｓｍ、Ｓ（ｍ＋１）、…、Ｓ（ｍ＋ｍ）に対して、ソース信号を出力するようになっている。
【００７７】
サンプリングメモリ４１には、ソース信号（データ信号）が外部から入力されるようになっており、パネル制御部２２からの指示信号に基づき、入力されたソース信号（データ）を適宜記憶するようになっている。第１のラッチ４２は、パネル制御部２２からの指示信号に基づいて、サンプリングメモリ４１に記憶されているソース信号を一括してラッチし記憶する。
【００７８】
アンプ出力部４３には、複数の各ソース配線Ｓｍ〜Ｓ（ｍ＋ｍ）の一端側が接続されており、液晶パネル（表示部）２に表示される情報に応じたソース信号を出力するように構成されている。すなわち、アンプ出力部４３は、パネル制御部２２からの指示信号を基に第１のラッチ４２からソース信号を入力して、対応するソース配線Ｓに出力するようになっている。
【００７９】
また、本実施形態のソースドライバ２３には、サンプリングメモリ４１に接続された選択部としてのセレクタ４４と、このセレクタ４４に順次接続された第２のラッチ４５及び冗長アンプ４６とが設けられている。この冗長アンプ４６には、冗長配線Ｙの一端側が接続されており、冗長アンプ４６は、パネル制御部２２からの指示信号に基づき、冗長配線Ｙに対して、液晶パネル２に表示される情報に応じたソース信号を出力可能に構成されている。また、セレクタ４４は、パネル制御部２２からの指示信号を基に、冗長配線Ｙが接続されたソース配線Ｓへの対応するソース信号だけを第２のラッチ４５に選択的に出力するようになっている。また、第２のラッチ４５は、セレクタ４４からのソース信号をラッチして記憶するとともに、パネル制御部２２からの指示信号に基づき、記憶しているソース信号を冗長アンプ４６に出力するようになっている。
【００８０】
また、冗長アンプ４６は、第１の実施形態のものと同様に、冗長配線Ｙ及び当該冗長配線Ｙが接続されたソース配線Ｓｍに対して、アンプ出力部４３よりも、上記所定の時間早いタイミングで、対応するソース信号を出力するよう構成されている。そして、本実施形態のソースドライバ２３では、冗長アンプ４６は、第２のラッチ４５からソース配線Ｓｍに出力されるソース信号を入力するとともに、アンプ出力部４３がソース配線Ｓｍに対しソース信号を出力するタイミングよりも、所定の時間早いタイミングで第２のラッチ４５からのソース信号を冗長配線Ｙに対し出力するようになっている。
【００８１】
以上の構成により、本実施形態では、上記第１の実施形態と同様な作用・効果を奏することができる。また、本実施形態では、サンプリングメモリ（記憶部）４１と冗長アンプ４６との間に、冗長配線Ｙが接続されたソース配線（データ配線）Ｓへの対応するソース信号（データ信号）だけを、冗長アンプ４６側に選択的に出力するセレクタ（選択部）４４を設けている。これにより、本実施形態のソースドライバ（データ配線駆動部）２３では、第１の実施形態のものに比べて、ソースドライバ２３の回路規模を簡略化することができる。すなわち、本実施形態のソースドライバ２３では、図４に示した第１の実施形態のもののように、アンプ出力部３３とセレクタ３４との間に、セレクタ３５に接続される配線の本数を、ソース配線Ｓｍ〜Ｓ（ｍ＋ｍ）の本数分設ける必要がない。
【００８２】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００８３】
例えば、上記の説明では、本発明を透過型の液晶表示装置に適用した場合について説明したが、本発明の表示装置はこれに限定されるものではなく、半透過型や反射型の液晶表示装置あるいは有機ＥＬ（Electronic Luminescence）素子、無機ＥＬ素子、電界放出ディスプレイ（Field Emission Display）などの各種表示装置に適用することができる。
【００８４】
また、上記の説明では、ソースドライバ（データ配線駆動部）に、冗長アンプを一体的に設けた場合について説明したが、本発明はこれに限定されるものではなく、データ配線駆動部と冗長アンプとを別個に設ける構成でもよい。
【００８５】
但し、上記の各実施形態のように、ソースドライバ（データ配線駆動部）に、冗長アンプを一体的に設ける場合の方が、データ配線駆動部と冗長アンプとを別個に設ける場合に比べて、表示装置での回路構成の小型化を容易に図ることができる点で好ましい。
【００８６】
また、上記の説明では、ソースドライバ（データ配線駆動部）をフレキシブルプリント回路基板（ＳＯＦ）に実装する場合について説明したが、本発明のデータ配線駆動部はこれに限定されるものではない。具体的には、例えば液晶パネルのアクティブマトリクス基板上にＣＯＧ（Chip On Glass）実装されたデータ配線駆動部を用いることもできる。
【００８７】
また、上記の説明では、表示部に設定された有効表示領域の外側に冗長配線を設けた場合について説明したが、本発明の冗長配線はデータ配線の予備配線として設けられたものであればよく、有効表示領域の内側に冗長配線を設けてもよい。
【００８８】
但し、上記の各実施形態のように、有効表示領域の外側に冗長配線を設ける場合の方が、有効表示領域での表示品位を容易に向上することができる点で好ましい。
【産業上の利用可能性】
【００８９】
本発明は、データ配線に断線が生じたときでも、表示品位が低下するのを容易に防ぐことができる構造簡単な表示装置に対して有用である。
【符号の説明】
【００９０】
１  液晶表示装置（表示装置）
２  液晶パネル（表示部）
４  液晶層
５  アクティブマトリクス基板（一対の透明基板）
６  カラーフィルタ基板（一対の透明基板）
２３、２３−１〜２３−９  ソースドライバ（データ配線駆動回路）
３１、４１  サンプリングメモリ（記憶部）
３３、４３  アンプ出力部
３６、４６  冗長アンプ
４４  セレクタ（選択部）
Ｓ、Ｓ１〜ＳＭ、Ｓｍ〜Ｓ（ｍ＋ｍ）  ソース配線（データ配線）
Ｙ  冗長配線
Ａ  有効表示領域
Ｘ  断線箇所
【図１】
2010052971.tif 000003
【図２】
2010052971.tif 000004
【図３】
2010052971.tif 000005
【図４】
2010052971.tif 000006
【図５】
2010052971.tif 000007
【図６】
2010052971.tif 000008
【国際調査報告】
2010052971.tif 000009
2010052971.tif 000010
2010052971.tif 000011
2010052971.tif 000012